(57)【要約】  本発明は、データ処理の方法（２００）および端末装置（１３０、３００、４００）を提供する。該方法（２００）は、端末装置（１３０、３００、４００）が該端末装置（１３０、３００、４００）の第１のスプリット無線ベアラの送信されるデータのデータ量と、予め設定された該第１のスプリット無線ベアラの閾値との大小関係を決定することであって、該送信されるデータのデータ量が該第１のスプリット無線ベアラのパケットデータ収束プロトコル（ＰＤＣＰ）層のデータ量と、該第１のスプリット無線ベアラにおけるネットワーク側によって構成されたデフォルトの、データを伝送するための第１のＲＬＣ層で前処理されたデータ量との和を含むこと（２１０）と、該端末装置（１３０、３００、４００）が該大小関係にしたがって、該第１のスプリット無線ベアラに対応する複数のセルグループから該送信されるデータを処理するためのターゲットセルグループを決定すること（２２０）とを含む。該方法（２００）と端末装置（１３０、３００、４００）は、セルグループ間の負荷バランスを実現することに有利であり、同時にデータ伝送の柔軟性を向上させることにも有利である。
2021501493.tif 000002
【特許請求の範囲】
【請求項１】
データ処理の方法であって、
端末装置が前記端末装置の第１のスプリット無線ベアラの送信されるデータのデータ量と、予め設定された前記第１のスプリット無線ベアラの閾値との大小関係を決定することであって、前記送信されるデータのデータ量が前記第１のスプリット無線ベアラのパケットデータ収束プロトコル（ＰＤＣＰ）層のデータ量と、前記第１のスプリット無線ベアラにおけるネットワーク側によって構成されたデフォルトの、データを伝送するための第１のＲＬＣ層で前処理されたデータ量との和を含むことと、
前記端末装置が前記大小関係にしたがって、前記第１のスプリット無線ベアラに対応する複数のセルグループから前記送信されるデータを処理するためのターゲットセルグループを決定することとを含む、前記データ処理の方法。
【請求項２】
前記端末装置が前記大小関係にしたがって、前記第１のスプリット無線ベアラに対応する複数のセルグループから前記送信されるデータを処理するためのターゲットセルグループを決定することは、
前記送信されるデータのデータ量が前記閾値より小さい場合、前記端末装置が前記第１のＲＬＣ層に対応するセルグループを前記ターゲットセルグループとして決定することを含むことを特徴とする
請求項１に記載の方法。
【請求項３】
前記端末装置が前記大小関係にしたがって、前記第１のスプリット無線ベアラに対応する複数のセルグループから前記送信されるデータを処理するためのターゲットセルグループを決定することは、
前記送信されるデータのデータ量が前記閾値より大きいか等しい場合、前記端末装置が前記第１のスプリット無線ベアラに対応する少なくとも２つのセルグループを前記ターゲットセルグループとして決定することを含むことを特徴とする
請求項１に記載の方法。
【請求項４】
前記少なくとも２つのＲＬＣ層は、前記第１のＲＬＣ層を含むことを特徴とする
請求項３に記載の方法。
【請求項５】
前記方法は、
前記端末装置が前記ターゲットセルグループにバッファステータスレポート（ＢＳＲ）を送信することであって、前記ＢＳＲが前記送信されるデータのデータ量を指示するために用いられることをさらに含むことを特徴とする
請求項１−４のいずれか一項に記載の方法。
【請求項６】
前記方法は、
前記端末装置が前記送信されるデータを伝送するためのアップリンクグラントを受信する前に、前記端末装置が前記ＰＤＣＰ層の少なくとも一部のデータを前記ターゲットセルグループに対応する前記第１のスプリット無線ベアラのＲＬＣ層に送信することをさらに含むことを特徴とする
請求項１−５のいずれか一項に記載の方法。
【請求項７】
前記方法は、
前記端末装置が前記ターゲットセルグループから送信された、前記送信されるデータを伝送するためのアップリンクグラントを受信する場合、前記端末装置が前記ターゲットセルグループに前記送信されるデータを送信することをさらに含むことを特徴とする
請求項１−６のいずれか一項に記載の方法。
【請求項８】
前記端末装置が前記端末装置の第１のスプリット無線ベアラの送信されるデータのデータ量と、予め設定された前記第１のスプリット無線ベアラの閾値との大小関係を決定することは、
前記端末装置が前記送信されるデータのデータ量を指示するためのＢＳＲを送信する必要がある場合、前記端末装置が前記大小関係を決定することを含むことを特徴とする
請求項１−７のいずれか一項に記載の方法。
【請求項９】
前記端末装置が前記端末装置の第１のスプリット無線ベアラの送信されるデータのデータ量と、予め設定された前記第１のスプリット無線ベアラの閾値との大小関係を決定することは、
前記第１のＲＬＣ層で前記送信されるデータの少なくとも一部のデータに対して前処理を行う時に、前記端末装置が前記大小関係を決定することを含むことを特徴とする
請求項１−７のいずれか一項に記載の方法。
【請求項１０】
前記端末装置が前記端末装置の第１のスプリット無線ベアラの送信されるデータのデータ量と、予め設定された前記第１のスプリット無線ベアラの閾値との大小関係を決定することは、
前記端末装置が前記送信されるデータを伝送するためのアップリンクグラントを受信する時に、前記端末装置が前記大小関係を決定することを含むことを特徴とする
請求項１−７のいずれか一項に記載の方法。
【請求項１１】
前記第１のスプリット無線ベアラは２つのＲＬＣ層を含み、前記２つのＲＬＣに対応するセルグループはプライマリセルグループとセカンダリセルグループを含むことを特徴とする
請求項１−１０のいずれか一項に記載の方法。
【請求項１２】
端末装置であって、
前記端末装置の第１のスプリット無線ベアラの送信されるデータのデータ量と、予め設定された前記第１のスプリット無線ベアラの閾値との大小関係を決定するように構成される第１の決定ユニットであって、前記送信されるデータのデータ量が前記第１のスプリット無線ベアラのパケットデータ収束プロトコル（ＰＤＣＰ）層のデータ量と、前記第１のスプリット無線ベアラにおけるネットワーク側によって構成されたデフォルトの、データを伝送するための第１のＲＬＣ層で前処理されたデータ量との和を含む第１の決定ユニットと、
前記大小関係にしたがって、前記第１のスプリット無線ベアラに対応する複数のセルグループから前記送信されるデータを処理するためのターゲットセルグループを決定するように構成される第２の決定ユニットとを備える、前記端末装置。
【請求項１３】
前記第２の決定ユニットは、具体的に、
前記送信されるデータのデータ量が前記閾値より小さい場合、前記第１のＲＬＣ層に対応するセルグループを前記ターゲットセルグループとして決定するように構成されることを特徴とする
請求項１２に記載の端末装置。
【請求項１４】
前記第２の決定ユニットは、具体的に、
前記送信されるデータのデータ量が前記閾値より大きいか等しい場合、前記第１のスプリット無線ベアラに対応する少なくとも２つのセルグループを前記ターゲットセルグループとして決定するように構成されることをを特徴とする
請求項１２に記載の端末装置。
【請求項１５】
前記少なくとも２つのＲＬＣ層は、前記第１のＲＬＣ層を含むことを特徴とする
請求項１４に記載の端末装置。
【請求項１６】
前記端末装置は、
前記ターゲットセルグループにバッファステータスレポート（ＢＳＲ）を送信するように構成される第１の送信ユニットであって、前記ＢＳＲが前記送信されるデータのデータ量を指示するために用いられる第１の送信ユニットをさらに備えることを特徴とする
請求項１２−１５のいずれか一項に記載の端末装置。
【請求項１７】
前記端末装置は、
前記端末装置が前記送信されるデータを伝送するためのアップリンクグラントを受信する前に、前記ＰＤＣＰ層の少なくとも一部のデータを前記ターゲットセルグループに対応する前記第１のスプリット無線ベアラのＲＬＣ層に送信するように構成される第２の送信ユニットをさらに備えることを特徴とする
請求項１２−１６のいずれか一項に記載の端末装置。
【請求項１８】
前記端末装置は、
前記端末装置が前記ターゲットセルグループから送信された、前記送信されるデータを伝送するためのアップリンクグラントを受信する場合、前記ターゲットセルグループに前記送信されるデータを送信するように構成される第３の送信ユニットをさらに備えることを特徴とする
請求項１２−１７のいずれか一項に記載の端末装置。
【請求項１９】
前記第１の決定ユニットは、具体的に、
前記端末装置が前記送信されるデータのデータ量を指示するためのＢＳＲを送信する必要がある場合、前記大小関係を決定するように構成されることを特徴とする
請求項１２−１８のいずれか一項に記載の端末装置。
【請求項２０】
前記第１の決定ユニットは具体的に、
前記第１のＲＬＣ層で前記送信されるデータの少なくとも一部のデータに対して前処理を行う時に、前記大小関係を決定するように構成されることを特徴とする
請求項１２−１８のいずれか一項に記載の端末装置。
【請求項２１】
前記第１の決定ユニットは、具体的に、
前記端末装置が前記送信されるデータを伝送するためのアップリンクグラントを受信する時に、前記大小関係を決定するように構成されることを特徴とする
請求項１２−１８のいずれか一項に記載の端末装置。
【請求項２２】
前記第１のスプリット無線ベアラは２つのＲＬＣ層を含み、前記２つのＲＬＣに対応するセルグループはプライマリセルグループとセカンダリセルグループを含むことを特徴とする
請求項１２−２１のいずれか一項に記載の端末装置。
【発明の詳細な説明】
【技術分野】
【０００１】
本出願の実施例は、通信分野に関し、より具体的には、データ処理の方法および端末装置に関する。
【背景技術】
【０００２】
データベアラがスプリットベアラのプロトコルアーキテクチャを採用する場合、２つ又は２つ以上の無線リンク制御（ＲＬＣ：Ｒａｄｉｏ  Ｌｉｎｋ  Ｃｏｎｔｒｏｌ）が、１つのパケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）の下にそれぞれ接続され、各ＲＬＣが１つのセルグループに対応し、あるスプリット無線ベアラのアップリンクデータを伝送する必要がある場合、端末装置がどのようにセルグループを選択してデータ処理を行うかは解決すべき問題である。
【発明の概要】
【発明が解決しようとする課題】
【０００３】
これに鑑みて、本出願の実施例は、データ伝送の柔軟性を向上させることに有利なデータ処理の方法および端末装置を提供する。
【課題を解決するための手段】
【０００４】
第１の態様によるデータ処理の方法は、端末装置が該端末装置の第１のスプリット無線ベアラの送信されるデータのデータ量と、予め設定された該第１のスプリット無線ベアラの閾値との大小関係を決定することであって、該送信されるデータのデータ量が該第１のスプリット無線ベアラのパケットデータ収束プロトコル（ＰＤＣＰ）層のデータ量と、該第１のスプリット無線ベアラにおけるネットワーク側によって構成されたデフォルトの、データを伝送するための第１のＲＬＣ層で前処理されたデータ量との和を含むことと、該端末装置が該大小関係にしたがって、該第１のスプリット無線ベアラに対応する複数のセルグループから該送信されるデータを処理するためのターゲットセルグループを決定することとを含む。
【０００５】
スプリットベアラ（ｓｐｌｉｔ  ｂｅａｒｅｒ）のデータが前処理される場合、前処理されないデータ量と前処理されたデータ量の和と、スプリットベアラ（ｓｐｌｉｔ  ｂｅａｒｅｒ）の閾値との大小関係にしたがって、送信されるデータを処理するためのターゲットセルグループを選択することにより、セルグループ間の負荷バランスを実現することに有利であり、同時にデータ伝送の柔軟性を向上させることにも有利である。
【０００６】
選択可能に、該第１のスプリット無線ベアラのＰＤＣＰ層に２つのＲＬＣ層が接続され、１つのＲＬＣ層に対応するセルグループがプライマリセルグループであってもよく、別のＲＬＣ層に対応するセルグループがセカンダリセルグループであってもよく、該ＰＤＣＰがプライマリセルグループに位置してもよいし、セカンダリセルグループに位置してもよい。
【０００７】
選択可能に、第１のスプリット無線ベアラの送信されるデータは、データの前処理が行われたいずれかのＲＬＣ層のデータ量と、ＰＤＣＰ層の現在のデータ量との和であってもよい。
【０００８】
１つの可能な実施形態では、該端末装置が該大小関係にしたがって、該第１のスプリット無線ベアラに対応する複数のセルグループから該送信されるデータを処理するためのターゲットセルグループを決定することは、該送信されるデータのデータ量が該閾値より小さい場合、該端末装置が該第１のＲＬＣ層に対応するセルグループを該ターゲットセルグループとして決定することを含む。
【０００９】
１つの可能な実施形態では、該端末装置が該大小関係にしたがって、該第１のスプリット無線ベアラに対応する複数のセルグループから該送信されるデータを処理するためのターゲットセルグループを決定することは、該送信されるデータのデータ量が該閾値より大きいか等しい場合、該端末装置が該第１のスプリット無線ベアラに対応する少なくとも２つのセルグループを該ターゲットセルグループとして決定することを含む。
【００１０】
１つの可能な実施形態では、該少なくとも２つのＲＬＣ層は該第１のＲＬＣ層を含む。
【００１１】
１つの可能な実施形態では、該方法は、該端末装置が該ターゲットセルグループにバッファステータスレポート（ＢＳＲ）を送信することであって、該ＢＳＲが該送信されるデータのデータ量を指示するために用いられることをさらに含む。
【００１２】
１つの可能な実施形態では、該方法は、該端末装置が該送信されるデータを伝送するためのアップリンクグラントを受信する前に、該端末装置が該ＰＤＣＰ層の少なくとも一部のデータを該ターゲットセルグループに対応する該第１のスプリット無線ベアラのＲＬＣ層に送信することをさらに含む。
【００１３】
１つの可能な実施形態では、該方法は、該端末装置が該ターゲットセルグループから送信された、該送信されるデータを伝送するためのアップリンクグラントを受信する場合、該端末装置が該ターゲットセルグループに該送信されるデータを送信することをさらに含む。
【００１４】
１つの可能な実施形態では、該端末装置が該端末装置の第１のスプリット無線ベアラの送信されるデータのデータ量と、予め設定された該第１のスプリット無線ベアラの閾値との大小関係を決定することは、該端末装置が該送信されるデータのデータ量を指示するためのＢＳＲを送信する必要がある場合、該端末装置が該大小関係を決定することを含む。
【００１５】
１つの可能な実施形態では、該端末装置が該端末装置の第１のスプリット無線ベアラの送信されるデータのデータ量と、予め設定された該第１のスプリット無線ベアラの閾値との大小関係を決定することは、該第１のＲＬＣ層で該送信されるデータのうちの少なくとも一部のデータを前処理する時に、該端末装置が該大小関係を決定することを含む。
【００１６】
１つの可能な実施形態では、該端末装置が該端末装置の第１のスプリット無線ベアラの送信されるデータのデータ量と、予め設定された該第１のスプリット無線ベアラの閾値との大小関係を決定することは、該端末装置が該送信されるデータを伝送するためのアップリンクグラントを受信する時に、該端末装置が該大小関係を決定することを含む。
【００１７】
第２の態様による端末装置は、上記第１の態様又は第１の態様のいずれかの可能な実施形態における方法を実行するために用いられる。具体的には、該端末装置は、上記第１の態様又は第１の態様のいずれかの可能な実施形態における方法を実行するためのユニットを備える。
【００１８】
第３の態様による端末装置は、メモリ、プロセッサ、入力インタフェースおよび出力インタフェースを備える。ここで、メモリ、プロセッサ、入力インタフェースおよび出力インタフェースは、バスシステムを介して接続される。該メモリは、命令を記憶するように構成され、該プロセッサは、該メモリに記憶された、上記第１の態様又は第１の態様のいずれかの可能な実施形態における方法を実行するための命令を実行するように構成される。
【００１９】
第４の態様によるコンピュータ記憶媒体は、上記第１の態様又は第１の態様のいずれかの可能な実施形態における方法を実行するための、上記態様を実行するために設計されたプログラムを含むコンピュータソフトウエア命令を記憶するために用いられる。
【００２０】
第５の態様による命令を含むコンピュータプログラム製品は、コンピュータで実行される場合、コンピュータに上記第１の態様又は第１の態様のいずれかの選択可能な実施形態における方法を実行させる。
【００２１】
本出願のこれらの態様又は他の態様は以下の実施例の説明からより簡潔かつ理解しやすくなる。
【図面の簡単な説明】
【００２２】
【図１】本出願の実施例の１つの応用シナリオを示す概略図である。
【図２】デュアル接続シナリオでのスプリットベアラ（ｓｐｌｉｔ  ｂｅａｒｅｒ）プロトコルアーキテクチャを示す図である。
【図３】本出願の実施例によるデータ処理の方法を示す概略ブロック図である。
【図４】本出願の実施例による端末装置を示す概略ブロック図である。
【図５】本出願の実施例による端末装置を示す別の概略ブロック図である。
【発明を実施するための形態】
【００２３】
以下に本出願の実施例における図面と組み合わせながら、本出願の実施例における技術的解決策を明確且つ全面的に説明する。
【００２４】
理解すべきものとして、本出願の実施例の技術的解決策は様々な通信システム、例えばグローバルモバイル通信（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ（登録商標））システム、符号分割多元アクセス（ＣＤＭＡ：Ｃｏｄｅ  Ｄｉｖｉｓｉｏｎ  Ｍｕｌｔｉｐｌｅ  Ａｃｃｅｓｓ）システム、帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ（登録商標））システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期進化型（ＬＴＥ：Ｌｏｎｇ  Ｔｅｒｍ  Ｅｖｏｌｖｅｄ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、ニューラジオ（ＮＲ：Ｎｅｗ  Ｒａｄｉｏ）又は将来の５Ｇシステムなどに応用されてもよい。
【００２５】
特に、本出願の実施例の技術的解決策は非直交マルチアクセス技術に基づく様々な通信システム、例えばスパースコードマルチアクセス（ＳＣＭＡ：Ｓｐａｒｓｅ  Ｃｏｄｅ  Ｍｕｌｔｉｐｌｅ  Ａｃｃｅｓｓ）システム、低密度署名（ＬＤＳ：Ｌｏｗ  Ｄｅｎｓｉｔｙ  Ｓｉｇｎａｔｕｒｅ）システムなどに応用されてもよく、もちろん、ＳＣＭＡシステムとＬＤＳシステムが通信分野において他の名称と呼ばれてもよく、さらに、本出願の実施例の技術的解決策は非直交マルチアクセス技術を用いたマルチ搬送波伝送システム、例えば非直交マルチアクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルターバンクマルチ搬送波（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システムなどに応用されてもよい。
【００２６】
本出願の実施例における端末装置はユーザ装置（ＵＥ：Ｕｓｅｒ  Ｅｑｕｉｐｍｅｎｔ）、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：Ｐｕｂｌｉｃ  Ｌａｎｄ  Ｍｏｂｉｌｅ  Ｎｅｔｗｏｒｋ）における端末装置などであってもよく、本出願の実施例では限定されない。
【００２７】
本出願の実施例におけるネットワーク装置は端末装置と通信するための装置であってもよく、該ネットワーク装置はＧＳＭ又はＣＤＭＡにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける進化型基地局（ｅＮＢ又はｅＮｏｄｅＢ：Ｅｖｏｌｕｔｉｏｎａｌ  ＮｏｄｅＢ）であってもよいし、クラウド無線アクセスネットワーク（ＣＲＡＮ：Ｃｌｏｕｄ  Ｒａｄｉｏ  Ａｃｃｅｓｓ  Ｎｅｔｗｏｒｋ）シナリオにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例では限定されない。
【００２８】
図１は、本出願の実施例の１つの応用シナリオの概略図である。図１における端末装置１３０の周りのネットワーク装置は、プライマリネットワーク装置１１０と少なくとも１つのセカンダリネットワーク装置１２０を備える。該少なくとも１つのセカンダリ装置１２０はそれぞれプライマリネットワーク装置１１０と接続して、マルチ接続を構成し、そして端末装置１３０とそれぞれ接続してそれにサービスを提供する。端末装置１３０はプライマリネットワーク１１０とセカンダリネットワーク装置１２０を介して接続を同時に確立することができる。端末装置１３０とプライマリネットワーク装置１１０によって確立された接続はプライマリ接続であり、端末装置１３０とセカンダリネットワーク装置１２０によって確立された接続はセカンダリ接続である。端末装置１３０の制御シグナリングはプライマリ接続によって伝送されてもよく、端末装置のデータはプライマリ接続とセカンダリ接続によって同時に伝送されてもよいし、セカンダリ接続のみによって伝送されてもよい。
【００２９】
本出願の実施例では、プライマリネットワーク装置は例えばマクロ基地局（Ｍａｃｒｏｃｅｌｌ）であってもよく、セカンダリネットワーク装置は例えばマイクロセル基地局（Ｍｉｃｒｏｃｅｌｌ）、ピコセル基地局（Ｐｉｃｏｃｅｌｌ）、フェムトセル基地局（Ｆｅｍｔｏｃｅｌｌ）であってもよいが、本発明の実施例はこれに限定されない。
【００３０】
当業者は、１つのＰＤＣＰをそれぞれ２つ又は複数のＲＬＣに接続させることができ、このようなベアラがスプリットベアラと呼ばれてもよいし、つまりスプリットベアラ（ｓｐｌｉｔ  ｂｅａｒｅｒ）である。以下に図２と組み合わせてデュアル接続シナリオでのスプリットベアラ（ｓｐｌｉｔ  ｂｅａｒｅｒ）プロトコルアーキテクチャを簡単に説明する。アップリンク及びダウンリンクの場合、ＰＤＣＰは、あるセルグループ（ＣＧ：Ｃｅｌｌ  Ｇｒｏｕｐ）に位置し、該ＣＧがアンカーセルグループ（ａｎｃｈｏｒ  ＣＧ）であり、ここでＣＧがプライマリセルグループとセカンダリセルグループを含み、ＰＤＣＰは、ＰＤＣＰプロトコルデータユニット（ＰＤＵ：Ｐｒｏｔｏｃｏｌ  Ｄａｔａ  Ｕｎｉｔ）をプライマリセルグループとセカンダリセルグループにおけるＲＬＣに送信することができ、それによって２つの接続によりデータ伝送を行うことができ、データが異なるセルグループのＲＬＣ、メディアアクセス制御（ＭＡＣ：Ｍｅｄｉａ  Ａｃｃｅｓｓ  Ｃｏｎｔｒｏｌ）を介し、さらにエアインタフェースを介して端末（ダウンリンク）又は基地局（アップリンク）の対応するＭＡＣ、ＲＬＣ層に到達し、最後にＰＤＣＰに集約され、これにより、最終的にデータが上位層に送信される。
【００３１】
ＬＴＥでは、各スプリットベアラ（ｓｐｌｉｔ  ｂｅａｒｅｒ）に対して、プロトコルにおいて１つの閾値が定義され、ＰＤＣＰデータ量が閾値未満である場合、ユーザは１つのデフォルトＣＧのみにＢＳＲを報告し、且つ該ＣＧのアップリンクリソースグラントが到達する場合、下位層へデータを送信してＲＬＣ  ＰＤＵを構成し、ＰＤＣＰデータ量が閾値を超える場合、ユーザは同時に２つのＣＧへＢＳＲを報告し、且ついずれかのＣＧのアップリンクリソースグラントが到達する場合、下位層へデータを送信してＲＬＣ  ＰＤＵを構成する。ＬＴＥでは、上位層データが到達してＰＤＣＰ層に滞在し、プライマリセルグループ又はセカンダリグループのアップリンクリソースグラントが端末装置に到達する場合、端末装置は、データをプライマリセルグループ又はセカンダリセルグループのＲＬＣ層に送信し、これにより最終的にネットワーク側に送信する。このような処理方式の欠点は、アップリンクリソースグラントが端末装置に到達する場合のみ、端末装置がデータをＰＤＣＰからＲＬＣに送信し、ＲＬＣ  ＰＤＵを生成し、さらにＭＡＣ  ＰＤＵを生成し、端末装置の瞬時的な処理機能に対する要求が高いことである。
【００３２】
ＮＲでは、該問題に対して前処理（ｐｒｅ−ｐｒｏｃｅｓｓｉｎｇ）が提案され、即ち端末装置が、アップリンクリソースグラントが端末装置に到達する前に、データをＰＤＣＰからＲＬＣに送信し、ＲＬＣ  ＰＤＵを生成し、アップリンクリソースグラントが到達した後、ＭＡＣ  ＰＤＵを生成することを許可し、これによりＵＥの瞬時的な処理機能に対する要求が低くなる。どのように端末装置があるスプリットベアラ（ｓｐｌｉｔ  ｂｅａｒｅｒ）のデータを前処理するシナリオで、ＬＴＥにおける該スプリットベアラ（ｓｐｌｉｔ  ｂｅａｒｅｒ）の定義された閾値と組み合わせて、端末装置にサービスを提供するためのセルグループを決定し、それによってセルグループ間の負荷バランスを実現するかは解決すべき問題である。
【００３３】
理解すべきものとして、本明細書で用語「システム」と「ネットワーク」は常に本明細書で互換可能に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００３４】
また、理解すべきものとして、本出願の複数の箇所において、１つのスプリット無線ベアラで１つのＰＤＣＰに２つのＲＬＣが接続されることを例として説明するが、本出願の実施例はこれに限定されない。
【００３５】
図３は、本出願の実施例によるデータ処理の方法２００を示す概略ブロック図である。図３に示すように、該方法２００は以下の一部又は全部の内容を含む。
【００３６】
Ｓ２１０において、端末装置は、該端末装置の第１のスプリット無線ベアラの送信されるデータのデータ量と、予め設定された該第１のスプリット無線ベアラの閾値との大小関係を決定し、該送信されるデータのデータ量が該第１のスプリット無線ベアラのパケットデータ収束プロトコル（ＰＤＣＰ）層のデータ量と、該第１のスプリット無線ベアラにおけるネットワーク側によって構成されたデフォルトの、データを伝送するための第１のＲＬＣ層で前処理されたデータ量との和を含む。
【００３７】
Ｓ２２０において、該端末装置は、該大小関係にしたがって、該第１のスプリット無線ベアラに対応する複数のセルグループから該送信されるデータを処理するためのターゲットセルグループを決定する。
【００３８】
具体的には、プロトコルによって端末装置のスプリットベアラ（ｓｐｌｉｔ  ｂｅａｒｅｒ）ごとに１つの閾値が合意されることができ、又はネットワーク側によって端末装置に１つの閾値を構成することができ、端末装置がアップリンクグラントを受信する前に、端末装置は、あるスプリットベアラ（ｓｐｌｉｔ  ｂｅａｒｅｒ）のＰＤＣＰにおける一部又は全てのデータを先に該スプリットベアラ（ｓｐｌｉｔ  ｂｅａｒｅｒ）でのいくつかのＲＬＣに送信することができ、そのため、端末装置が比較する場合、端末装置は該スプリットベアラ（ｓｐｌｉｔ  ｂｅａｒｅｒ）での既に前処理されたデータ量及び前処理されないデータ量との和を該スプリット無線ベアラの閾値と比較することができる。理解すべきものとして、スプリットベアラ（ｓｐｌｉｔ  ｂｅａｒｅｒ）のいくつかのＲＬＣが前処理を行うことができ、いくつかのＲＬＣが前処理を行うことができなく、既に前処理されたデータは、端末装置が該部分のデータを該スプリットベアラ（ｓｐｌｉｔ  ｂｅａｒｅｒ）のＰＤＣＰから該スプリットベアラ（ｓｐｌｉｔ  ｂｅａｒｅｒ）の前処理機能を備えたＲＬＣに送信することを意味する。例えば、ネットワーク装置は端末装置に前処理機能を備えた１つのＲＬＣをデフォルトＲＬＣとして予め構成することができ、端末装置が該スプリットベアラ（ｓｐｌｉｔ  ｂｅａｒｅｒ）の送信されるデータを前処理する場合、端末装置は部分のデータを該スプリットベアラ（ｓｐｌｉｔ  ｂｅａｒｅｒ）のＰＤＣＰからデフォルトＲＬＣに送信する。端末装置は同一のスプリットベアラ（ｓｐｌｉｔ  ｂｅａｒｅｒ）のＰＤＣＰにおけるデータ量とＲＬＣにおける前処理されたデータ量を閾値と比較した後、比較された大小関係にしたがって、送信されるデータを処理するためのターゲットセルグループを決定することができる。理解すべきものとして、同一のスプリットベアラ（ｓｐｌｉｔ  ｂｅａｒｅｒ）での異なるＲＬＣは異なるセルグループに対応することができる。該ターゲットセルグループは１つのセルグループであってもよいし、複数のセルグループであってもよく、本出願の実施例はこれに限定されない。
【００３９】
したがって、本出願の実施例によるデータ処理の方法では、スプリットベアラ（ｓｐｌｉｔ  ｂｅａｒｅｒ）のデータが前処理される場合、前処理されないデータ量と前処理されたデータ量の和とスプリットベアラスプリットベアラ（ｓｐｌｉｔ  ｂｅａｒｅｒ）の閾値との大小関係にしたがって、送信されるデータを処理するためのターゲットセルグループを選択し、これにより、セルグループ間の負荷バランスを実現することに有利であり、同時にデータ伝送の柔軟性を向上させることにも有利である。
【００４０】
選択可能に、本出願の実施例では、該端末装置が該大小関係にしたがって、該第１のスプリット無線ベアラに対応する複数のセルグループから該送信されるデータを処理するためのターゲットセルグループを決定することは、該送信されるデータのデータ量が該閾値より小さい場合、該端末装置が該第１のＲＬＣ層に対応するセルグループを該ターゲットセルグループとして決定することを含む。
【００４１】
選択可能に、本出願の実施例では、該端末装置が該大小関係にしたがって、該第１のスプリット無線ベアラに対応する複数のセルグループから該送信されるデータを処理するためのターゲットセルグループを決定することは、該送信されるデータのデータ量が該閾値より大きいか等しい場合、該端末装置が該第１のスプリット無線ベアラに対応する少なくとも２つのセルグループを該ターゲットセルグループとして決定することを含む。
【００４２】
具体的には、端末装置のあるスプリットベアラ（ｓｐｌｉｔ  ｂｅａｒｅｒ）におけるデータがアップリンクグラントを受信しない前にＰＤＣＰからあるＲＬＣに送信されると仮定すると、端末装置はＰＤＣＰにおけるデータ量と該ＲＬＣにおけるデータ量の和を該スプリットベアラ（ｓｐｌｉｔ  ｂｅａｒｅｒ）におけるデータの閾値と比較し、閾値より小さい場合、１つの接続だけで現在のニーズを満たすことができると考えられてもよく、端末装置は該スプリットベアラ（ｓｐｌｉｔ  ｂｅａｒｅｒ）でのあるＲＬＣに対応するセルグループを選択して現在のデータ処理を行うことができ、閾値より大きい場合、１つの接続だけで現在のニーズを満たすことができないと考えられてもよく、端末装置は該スプリットベアラ（ｓｐｌｉｔ  ｂｅａｒｅｒ）に対応する複数のセルグループを選択して現在のデータ処理を行うことができる。
【００４３】
例えば、ネットワーク側は端末装置のスプリットベアラ（ｓｐｌｉｔ  ｂｅａｒｅｒ）１に１つのデフォルトＲＬＣを構成してデータ処理を行い、端末装置が該スプリットベアラ（ｓｐｌｉｔ  ｂｅａｒｅｒ）１に対するアップリンクグラントを受信する前に、端末装置はスプリットベアラ（ｓｐｌｉｔ  ｂｅａｒｅｒ）１のデータをＰＤＣＰからデフォルトＲＬＣに予め送信し、端末装置が該スプリットベアラ（ｓｐｌｉｔ  ｂｅａｒｅｒ）１に対するアップリンクグラントを受信した後、端末装置は、デフォルトＲＬＣに予め構成されたデータを該デフォルトＲＬＣに対応するセルグループに直接送信し、同時に端末装置はＰＤＣＰにおける前処理されないデータを該デフォルトＲＬＣ、ＭＡＣに送信し、さらにエアインタフェースを介してデフォルトＲＬＣに対応するセルグループに到達する。
【００４４】
また、例えば、端末装置のスプリットベアラ（ｓｐｌｉｔ  ｂｅａｒｅｒ）１にＲＬＣ１およびＲＬＣ２の２つのＲＬＣが接続され、ＲＬＣ１とＲＬＣ２がいずれも前処理機能を備え、端末装置は該スプリットベアラ（ｓｐｌｉｔ  ｂｅａｒｅｒ）１に対する送信されるのアップリンクグラントを受信する前に、端末装置は既に該スプリットベアラ（ｓｐｌｉｔ  ｂｅａｒｅｒ）１におけるデータ１とデータ２をそれぞれＲＬＣ１とＲＬＣ２に予め送信し、端末装置はＲＬＣ１におけるデータ量、ＲＬＣ２におけるデータ量及びＰＤＣＰの現在のデータ量の和を該スプリットベアラ（ｓｐｌｉｔ  ｂｅａｒｅｒ）１の閾値と比較することができ、又は端末装置はＲＬＣ１又はＲＬＣ２のうちのある一方のデータ量とＰＤＣＰの現在のデータ量の和を該スプリットベアラ（ｓｐｌｉｔ  ｂｅａｒｅｒ）１の閾値と比較し、閾値より大きい場合、端末装置はＲＬＣ１とＲＬＣ２に対応するセルグループを全てターゲットセルグループとして選択することができる。つまり、ＲＬＣ１とＲＬＣ２における前処理されたデータがエアインタフェースを経由してそれぞれに対応するセルグループに直接到達することができ、ＰＤＣＰにおける前処理されないデータが先にＲＬＣ１とＲＬＣ２を通過してからエアインタフェースを経由してそれぞれに対応するセルグループに到達する必要がある場合、端末装置はＲＬＣ１とＲＬＣ２のいずれかの一方に対応するセルグループをターゲットセルグループとして選択する。即ち、端末装置が該スプリットベアラ（ｓｐｌｉｔ  ｂｅａｒｅｒ）１のアップリンクグラントを受信する前に、端末装置は該スプリットベアラ（ｓｐｌｉｔ  ｂｅａｒｅｒ）１におけるデータをＲＬＣ１に送信することができるが、ＲＬＣ２に送信しなく、端末装置はＲＬＣ１における前処理されたデータ量とＰＤＣＰの現在のデータ量の和をスプリットベアラ（ｓｐｌｉｔ  ｂｅａｒｅｒ）１の閾値と比較することができる。又は、スプリットベアラ（ｓｐｌｉｔ  ｂｅａｒｅｒ）１におけるデータをＲＬＣ２に送信することもできるが、ＲＬＣ１に送信しなく、端末装置は、ＲＬＣ２における前処理されたデータ量とＰＤＣＰの現在のデータ量の和をスプリットベアラ（ｓｐｌｉｔ  ｂｅａｒｅｒ）１の閾値と比較することができる。
【００４５】
選択可能に、端末装置が第１のスプリット無線ベアラの少なくとも２つのＲＬＣ層に対応するセルグループをターゲットセルグループとして選択する場合、該少なくとも２つのＲＬＣ層はネットワーク側によって構成されたデフォルトのデータ伝送のための第１のＲＬＣ層を含むことができる。
【００４６】
選択可能に、本出願の実施例において、該方法は、該端末装置が該ターゲットセルグループにバッファステータスレポート（ＢＳＲ：Ｂｕｆｆｅｒ  Ｓｔａｔｕｓ  Ｒｅｐｏｒｔ）を送信することであって、該ＢＳＲが該送信されるデータのデータ量を指示するために用いられることをさらに含む。
【００４７】
当業者は、ＢＳＲが、サービングしているネットワークに、アップリンクバッファに位置し且つ送信される必要があるＵＥのデータのデータ量情報を提供することに用いられ、端末装置がターゲットセルグループを決定した場合、端末装置は該ターゲットセルグループ内のネットワークに、あるスプリットベアラに対するＢＳＲを報告することができる。端末装置によって決定されたターゲットセルグループが複数のセルグループである場合、端末装置はそれぞれに対応するＢＳＲを複数のセルグループにそれぞれ報告することができる。例えば、端末装置のスプリットベアラ（ｓｐｌｉｔ  ｂｅａｒｅｒ）１にＲＬＣ１とＲＬＣ２の２つのＲＬＣが接続され、且つＲＬＣ１とＲＬＣ２がいずれも前処理機能を備え、端末装置が該スプリットベアラ（ｓｐｌｉｔ  ｂｅａｒｅｒ）１に対する送信されるデータ待ちのアップリンクグラントを受信する前に、端末装置は既に該スプリットベアラ（ｓｐｌｉｔ  ｂｅａｒｅｒ）１におけるデータ１とデータ２をそれぞれＲＬＣ１とＲＬＣ２に予め送信し、端末装置はターゲットセルグループがＲＬＣ１に対応するセルグループとＲＬＣ２に対応するセルグループを含むことを決定したと仮定し、端末装置は、ＲＬＣ１に対応するセルグループに、ＰＤＣＰの現在のデータ量と該ＲＬＣ１における前処理されたデータ量の和を指示するためのＢＳＲを報告することができ、端末装置は、ＲＬＣ２に対応するセルグループに、ＰＤＣＰの現在のデータ量と該ＲＬＣ２における前処理されたデータ量の和を指示するためのＢＳＲを報告することもできる。
【００４８】
選択可能に、端末装置はＭＡＣ層シグナリングによってターゲットセルグループにＢＳＲを送信することができる。
【００４９】
選択可能に、本出願の実施例では、該方法は、該端末装置が該ターゲットセルグループから送信された、該送信されるデータを伝送するためのアップリンクグラントを受信する場合、該端末装置が該ターゲットセルグループに該送信されるデータを送信することを含む。
【００５０】
具体的には、端末装置がターゲットセルグループを決定した後、端末装置はターゲットセルグループから送信されたアップリンクグラントを受信する限り、該ターゲットセルグループのアップリンクグラントに対して、ターゲットセルグループにデータを送信できる。例えば、端末装置によって決定されたターゲットセルグループが上記スプリットベアラ（ｓｐｌｉｔ  ｂｅａｒｅｒ）１のＲＬＣ１に対応するセルグループであり、端末装置はＲＬＣ１に対応するセルグループから送信されたアップリンクグラントのみに対して該ＲＬＣ１に対応するセルグループにデータを送信することもでき、言い換えれば、端末装置は、他のＲＬＣに対応するセルグループから送信されたアップリンクグラントを受信した場合でも、スプリットベアラ（ｓｐｌｉｔ  ｂｅａｒｅｒ）１の他のＲＬＣに対応するセルグループにデータを送信しない。
【００５１】
端末装置がターゲットセルグループを決定した場合、端末装置は、以下のことを含むがこれに限定されない後続のいくつかの操作を行うことができる：
ターゲットセルグループのある接続へのデータ前処理を行い、
ターゲットセルグループにのＢＳＲ報告を行い、
ターゲットセルグループのアップリンクグラントに対してターゲットセルグループへのデータ送信を行う。
【００５２】
端末装置があるスプリット無線ベアラとその閾値の比較を行うことは以下の条件でトリガされてもよい。
【００５３】
選択可能に、本出願の実施例では、該端末装置が該端末装置の第１のスプリット無線ベアラの送信されるデータのデータ量と、予め設定された該第１のスプリット無線ベアラの閾値との大小関係を決定することは、該端末装置が該送信されるデータのデータ量を指示するためのＢＳＲを送信する必要がある場合、該端末装置が該大小関係を決定することを含む。
【００５４】
選択可能に、本出願の実施例では、該端末装置が該端末装置の第１のスプリット無線ベアラの送信されるデータのデータ量と、予め設定された該第１のスプリット無線ベアラの閾値との大小関係を決定することは、該第１のＲＬＣ層で該送信されるデータのうちの少なくとも一部のデータを前処理する時に、該端末装置が該大小関係を決定することを含む。
【００５５】
選択可能に、本出願の実施例では、該端末装置が該端末装置の第１のスプリット無線ベアラの送信されるデータのデータ量と、予め設定された該第１のスプリット無線ベアラの閾値との大小関係を決定することは、該端末装置が該送信されるデータを伝送するためのアップリンクグラントを受信する時に、該端末装置が該大小関係を決定することを含む。
【００５６】
理解すべきものとして、上記のいくつかのトリガ条件は例示のためのものだけであり、本出願の実施例はこれに限定されない。
【００５７】
端末装置は１つのスプリット無線ベアラの一回のデータのみに対して一回の比較を行うことができる。
【００５８】
選択可能に、本出願の実施例では、該第１のスプリット無線ベアラは２つのＲＬＣ層を含み、該２つのＲＬＣに対応するセルグループはプライマリセルグループとセカンダリセルグループを含む。つまり、該第１のスプリット無線ベアラはデュアル接続であり、そのうちの１つのＲＬＣがプライマリセルグループに対応し、もう１つのＲＬＣがセカンダリセルグループに対応し、該第１のスプリット無線ベアラのＰＤＣＰは該プライマリセルグループに位置してもよいし、該セカンダリセルグループに位置してもよい。
【００５９】
理解すべきものとして、ネットワーク装置で説明されるネットワーク装置と端末装置のインタラクション及び関連特性、機能などが端末装置の関連特性、機能に対応する。そして、関連内容について上記方法１００で詳細に説明され、簡潔にするために、説明を省略する。
【００６０】
また、本出願の様々な実施例では、上記各プロセスの番号の大きさが実行順序を意味せず、各プロセスの実行順序はその機能と内部論理で決定されるべきであり、本出願の実施例の実施プロセスのいかなる限定を構成すべきではないと理解すべきである。
【００６１】
以上に本出願の実施例によるデータ処理の方法を詳細に説明し、以下に図４及び図５と組み合わせて本出願の実施例によるデータ処理のための装置を説明し、方法の実施例で説明される技術的特徴が以下の装置の実施例に適用する。
【００６２】
図４は、本出願の実施例による端末装置３００を示す概略ブロック図である。図４に示すように、該端末装置３００は、
前記端末装置の第１のスプリット無線ベアラの送信されるデータのデータ量と、予め設定された前記第１のスプリット無線ベアラの閾値との大小関係を決定するように構成される第１の決定ユニット３１０であって、前記送信されるデータのデータ量が前記第１のスプリット無線ベアラのパケットデータ収束プロトコル（ＰＤＣＰ）層のデータ量と、前記第１のスプリット無線ベアラにおけるネットワーク側によって構成されたデフォルトの、データを伝送するための第１のＲＬＣ層で前処理されたデータ量との和を含む第１の決定ユニット３１０と、
前記大小関係にしたがって、前記第１のスプリット無線ベアラに対応する複数のセルグループから前記送信されるデータを処理するためのターゲットセルグループを決定するように構成される第２の決定ユニット３２０とを備える。
【００６３】
したがって、本出願の実施例による端末装置では、スプリットベアラ（ｓｐｌｉｔ  ｂｅａｒｅｒ）のデータが前処理される場合、前処理されないデータ量と前処理されたデータ量の和とスプリットベアラスプリットベアラの閾値との大小関係にしたがって、送信されるデータを処理するためのターゲットセルグループを選択し、これにより、セルグループ間の負荷バランスを実現することに有利であり、同時にデータ伝送の柔軟性を向上させることにも有利である。
【００６４】
選択可能に、本出願の実施例では、該第２の決定ユニット３２０は、具体的に該送信されるデータのデータ量が該閾値より小さい場合、該第１のＲＬＣ層に対応するセルグループを該ターゲットセルグループとして決定するように構成される。
【００６５】
選択可能に、本出願の実施例では、該第２の決定ユニット３２０は、具体的に該送信されるデータのデータ量が該閾値より大きいか等しい場合、該第１のスプリット無線ベアラに対応する少なくとも２つのセルグループを該ターゲットセルグループとして決定するように構成される。
【００６６】
選択可能に、本出願の実施例では、該少なくとも２つのＲＬＣ層は該第１のＲＬＣ層を含む。
【００６７】
選択可能に、本出願の実施例では、該端末装置３００は、該ターゲットセルグループにバッファステータスレポート（ＢＳＲ）を送信するように構成される第１の送信ユニットであって、該ＢＳＲが該送信されるデータのデータ量を指示するために用いられる第１の送信ユニットをさらに備える。
【００６８】
選択可能に、本出願の実施例では、該端末装置３００は、該端末装置が該送信されるデータを伝送するためのアップリンクグラントを受信する前に、該ＰＤＣＰ層の少なくとも一部のデータを該ターゲットセルグループに対応する該第１のスプリット無線ベアラのＲＬＣ層に送信するように構成される第２の送信ユニットをさらに備える。
【００６９】
選択可能に、本出願の実施例では、該端末装置３００は、該端末装置が該ターゲットセルグループから送信された、該送信されるデータを伝送するためのアップリンクグラントを受信する場合、該ターゲットセルグループに該送信されるデータを送信するように構成される第３の送信ユニットをさらに備える。
【００７０】
選択可能に、本出願の実施例では、該第１の決定ユニット３１０は、具体的に該端末装置が該送信されるデータのデータ量を指示するためのＢＳＲを送信する必要がある場合、該大小関係を決定するように構成される。
【００７１】
選択可能に、本出願の実施例では、該第１の決定ユニット３１０は、具体的に該第１のＲＬＣ層で該送信されるデータの少なくとも一部のデータを前処理する時に、該大小関係を決定するように構成される。
【００７２】
選択可能に、本出願の実施例では、該第１の決定ユニット３１０は、具体的に該端末装置が該送信されるデータを伝送するためのアップリンクグラントを受信する時に、該大小関係を決定するように構成される。
【００７３】
選択可能に、本出願の実施例では、該第１のスプリット無線ベアラは２つのＲＬＣ層を含み、該２つのＲＬＣに対応するセルグループはプライマリセルグループとセカンダリセルグループを含む。
【００７４】
理解すべきものとして、本出願の実施例による端末装置３００は本出願の方法の実施例における端末装置に対応してもよく、且つ端末装置３００の各ユニットの上記と他の操作及び／又は機能はそれぞれ図３の方法における端末装置の対応するプロセスを実現するためのものであり、簡潔するために、ここでは説明を省略する。
【００７５】
図５に示すように、本出願の実施例はさらに図３の方法２００に対応する端末装置のコンテンツを実行することに利用可能な図４の端末装置３００とすることができる端末装置４００を提供する。
【００７６】
該端末装置４００は、入力インタフェース４１０、出力インタフェース４２０、プロセッサ４３０及びメモリ４４０を備え、該入力インタフェース４１０、出力インタフェース４２０、プロセッサ４３０とメモリ４４０がバスシステムを介して接続されてもよい。該メモリ４４０はプログラム、命令又はコードを記憶するように構成される。該プロセッサ４３０は、該メモリ４４０におけるプログラム、命令又はコードを実行して、信号を受信するように入力インタフェース４１０を制御し、信号を送信するように出力インタフェース４２０を制御し、前記方法の実施例における操作を完了するように構成される。
【００７７】
したがって、本出願の実施例による端末装置では、スプリットベアラ（ｓｐｌｉｔ  ｂｅａｒｅｒ）のデータが前処理される場合、前処理されないデータ量と前処理されたデータ量の和とスプリットベアラスプリットベアラの閾値との大小関係にしたがって、送信されるデータを処理するためのターゲットセルグループを選択し、これにより、セルグループ間の負荷バランスを実現することに有利であり、同時にデータ伝送の柔軟性を向上させることにも有利である。
【００７８】
理解すべきものとして、本発明の実施例では、該プロセッサ４３０は中央処理ユニット（ＣＰＵ：Ｃｅｎｔｒａｌ  Ｐｒｏｃｅｓｓｉｎｇ  Ｕｎｉｔ）であってもよく、該プロセッサ４３０はさらに他の汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【００７９】
該メモリ４４０は読み取り専用メモリとランダムアクセスメモリを含み、そしてプロセッサ４３０へ命令とデータを提供することができる。メモリ４４０の一部はさらに不揮発性ランダムアクセスメモリを含むことができる。例えば、メモリ４４０はさらに装置タイプの情報を記憶することができる。実施プロセスでは、上記方法の各内容は、プロセッサ４３０におけるハードウェアの集積論理回路又はソフトウェアの形の命令によって完了されてもよい。本出願の実施例と組み合わせて開示される方法の内容はハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリ４４０に位置し、プロセッサ４３０はメモリ４４０における情報を読み取り、そのハードウェアと組み合わせて上記方法の内容を完了する。繰り返しを回避するために、ここで詳細な説明を省略する。
【００８０】
１つの具体的な実施形態では、端末装置３００における第１の決定ユニットと第２の決定ユニットは図５におけるプロセッサ４３０で実現されてもよく、端末装置３００の第１の送信ユニット、第２の送信ユニットと第３の送信ユニットは、図５における出力インタフェース４２０で実現されてもよい。
【００８１】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもいよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【００８２】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【００８３】
本出願が提供する、いくつかの実施例では、開示されるシステム、装置及び方法は、他の方式により実現されてもよいと理解すべきである。例えば、上述した装置の実施例は例示的なものだけであり、例えば、該ユニットの区分は、論理機能的区分だけであり、実際に実現する時に他の区分方式もあり得て、例えば複数のユニット又は構成要素は組み合わせられてもよく又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【００８４】
分離部材として説明される該ユニットは物理的に分離するものであってもよく又は物理的に分離するものでなくてもよく、ユニットとして表示された部材は物理ユニットであってもよく又は物理ユニットでなくてもよく、即ち１つの箇所に位置してもよく、又は複数のネットワークユニットに分布してもよい。実際のニーズに応じてそのうちの一部又は全てのユニットを選択して本実施例の解決策の目的を達成することができる。
【００８５】
また、本出願の各実施例における各機能ユニットは１つの処理ユニットに統合されてもよく、個々のユニットは単独で物理的に存在してもよく、二つ又は二つ以上のユニットは１つのユニットに統合されてもよい。
【００８６】
該機能はソフトウェア機能ユニットの形態で実現され且つ独立した製品として販売又は使用される時に、１つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【００８７】
以上は、本出願の実施例の具体的な実施形態に過ぎず、本出願の保護範囲はこれに制限されず、当業者が本出願で開示された技術範囲内で容易に想到し得る変化又は置換が全て本出願の保護範囲以内に含まれるべきである。従って、本出願の保護範囲は請求項の保護範囲に準拠するべきである。
【図１】
2021501493.tif 000003
【図２】
2021501493.tif 000004
【図３】
2021501493.tif 000005
【図４】
2021501493.tif 000006
【図５】
2021501493.tif 000007
【手続補正書】
【提出日】令和2年9月2日(2020.9.2)
【手続補正１】
【補正対象書類名】特許請求の範囲
【補正対象項目名】全文
【補正方法】変更
【補正の内容】
【特許請求の範囲】
【請求項１】
データ処理の方法であって、
端末装置が前記端末装置の第１のスプリット無線ベアラの送信されるデータのデータ量と、予め設定された前記第１のスプリット無線ベアラの閾値との大小関係を決定することであって、前記送信されるデータのデータ量が前記第１のスプリット無線ベアラのパケットデータ収束プロトコル（ＰＤＣＰ）層のデータ量と、前記第１のスプリット無線ベアラにおけるネットワーク側によって構成されたデフォルトの、データを伝送するための第１のＲＬＣ層で前処理されたデータ量との和を含むことと、
前記端末装置が前記大小関係にしたがって、前記第１のスプリット無線ベアラに対応する複数のセルグループから前記送信されるデータを処理するためのターゲットセルグループを決定することとを含む、前記データ処理の方法。
【請求項２】
前記端末装置が前記大小関係にしたがって、前記第１のスプリット無線ベアラに対応する複数のセルグループから前記送信されるデータを処理するためのターゲットセルグループを決定することは、
前記送信されるデータのデータ量が前記閾値より小さい場合、前記端末装置が前記第１のＲＬＣ層に対応するセルグループを前記ターゲットセルグループとして決定することを含むことを特徴とする
請求項１に記載の方法。
【請求項３】
前記端末装置が前記大小関係にしたがって、前記第１のスプリット無線ベアラに対応する複数のセルグループから前記送信されるデータを処理するためのターゲットセルグループを決定することは、
前記送信されるデータのデータ量が前記閾値より大きいか等しい場合、前記端末装置が前記第１のスプリット無線ベアラの少なくとも２つのＲＬＣ層に対応する少なくとも２つのセルグループを前記ターゲットセルグループとして決定することを含むことを特徴とする
請求項１に記載の方法。
【請求項４】
前記少なくとも２つのＲＬＣ層は、前記第１のＲＬＣ層を含むことを特徴とする
請求項３に記載の方法。
【請求項５】
前記方法は、
前記端末装置が前記送信されるデータを伝送するためのアップリンクグラントを受信する前に、前記端末装置が前記ＰＤＣＰ層の少なくとも一部のデータを前記ターゲットセルグループに対応する前記第１のスプリット無線ベアラのＲＬＣ層に送信することをさらに含むことを特徴とする
請求項１−４のいずれか一項に記載の方法。
【請求項６】
前記方法は、
前記端末装置が前記ターゲットセルグループから送信された、前記送信されるデータを伝送するためのアップリンクグラントを受信する場合、前記端末装置が前記ターゲットセルグループに前記送信されるデータを送信することをさらに含むことを特徴とする
請求項１−５のいずれか一項に記載の方法。
【請求項７】
前記第１のスプリット無線ベアラは２つのＲＬＣ層を含み、前記２つのＲＬＣに対応するセルグループはプライマリセルグループとセカンダリセルグループを含むことを特徴とする
請求項１−６のいずれか一項に記載の方法。
【請求項８】
端末装置であって、
前記端末装置の第１のスプリット無線ベアラの送信されるデータのデータ量と、予め設定された前記第１のスプリット無線ベアラの閾値との大小関係を決定するように構成される第１の決定ユニットであって、前記送信されるデータのデータ量が前記第１のスプリット無線ベアラのパケットデータ収束プロトコル（ＰＤＣＰ）層のデータ量と、前記第１のスプリット無線ベアラにおけるネットワーク側によって構成されたデフォルトの、データを伝送するための第１のＲＬＣ層で前処理されたデータ量との和を含む第１の決定ユニットと、
前記大小関係にしたがって、前記第１のスプリット無線ベアラに対応する複数のセルグループから前記送信されるデータを処理するためのターゲットセルグループを決定するように構成される第２の決定ユニットとを備える、前記端末装置。
【請求項９】
前記第２の決定ユニットは、具体的に、
前記送信されるデータのデータ量が前記閾値より小さい場合、前記第１のＲＬＣ層に対応するセルグループを前記ターゲットセルグループとして決定するように構成されることを特徴とする
請求項８に記載の端末装置。
【請求項１０】
前記第２の決定ユニットは、具体的に、
前記送信されるデータのデータ量が前記閾値より大きいか等しい場合、前記第１のスプリット無線ベアラの少なくとも２つのＲＬＣ層に対応する少なくとも２つのセルグループを前記ターゲットセルグループとして決定するように構成されることをを特徴とする
請求項８に記載の端末装置。
【請求項１１】
前記少なくとも２つのＲＬＣ層は、前記第１のＲＬＣ層を含むことを特徴とする
請求項１０に記載の端末装置。
【請求項１２】
前記端末装置は、
前記ターゲットセルグループにバッファステータスレポート（ＢＳＲ）を送信するように構成される第１の送信ユニットであって、前記ＢＳＲが前記送信されるデータのデータ量を指示するために用いられる第１の送信ユニットをさらに備えることを特徴とする
請求項８−１１のいずれか一項に記載の端末装置。
【請求項１３】
前記端末装置は、
前記端末装置が前記送信されるデータを伝送するためのアップリンクグラントを受信する前に、前記ＰＤＣＰ層の少なくとも一部のデータを前記ターゲットセルグループに対応する前記第１のスプリット無線ベアラのＲＬＣ層に送信するように構成される第２の送信ユニットをさらに備えることを特徴とする
請求項８−１２のいずれか一項に記載の端末装置。
【請求項１４】
前記端末装置は、
前記端末装置が前記ターゲットセルグループから送信された、前記送信されるデータを伝送するためのアップリンクグラントを受信する場合、前記ターゲットセルグループに前記送信されるデータを送信するように構成される第３の送信ユニットをさらに備えることを特徴とする
請求項８−１３のいずれか一項に記載の端末装置。
【請求項１５】
前記第１の決定ユニットは、具体的に、
前記端末装置が前記送信されるデータのデータ量を指示するためのＢＳＲを送信する必要がある場合、前記大小関係を決定し、または、
前記第１のＲＬＣ層で前記送信されるデータの少なくとも一部のデータに対して前処理を行う時に、前記大小関係を決定し、または、
前記端末装置が前記送信されるデータを伝送するためのアップリンクグラントを受信する時に、前記大小関係を決定するように構成されることを特徴とする
請求項８−１４のいずれか一項に記載の端末装置。
【国際調査報告】
2021501493.tif 000008
2021501493.tif 000009
2021501493.tif 000010
2021501493.tif 000011